(57)【要約】【課題】  複数の記憶媒体に跨って一連のデータを欠落させることなく記録することが可能であり、然もこれらのデータの取り扱いが容易となるデータ記録装置を提供する。【解決手段】  本発明に係るデータ記録装置は、データ記録の開始が指令された第１時点からメモリＡに対してデータａの記録を開始し、メモリＡの残り容量が一定の容量値ｘ以下となった第２時点からは、２つのメモリＡ、Ｂに対するデータ記録を並行して進める。そして、メモリＡの容量が満杯になった第３時点で、メモリＡに対するデータｘの記録を停止する。その後、メモリＢに対するデータの記録動作の停止が指令された第４時点で、メモリＢの空き容量がメモリＡのデータａの量よりも大きいかどうかを判断し、大きい場合に限り、メモリＡに記録されたデータａをメモリＢにコピーし、一連のデータａ＋ｘ＋ｂを１つのファイルとして管理する。【選択図】      図４
2005295433.tif 000002
【特許請求の範囲】
【請求項１】
映像データ及び／又は音声データをデジタル記録するための複数の記憶媒体を内蔵し若しくは接続することが可能なデータ記録装置において、データ記録の開始及び停止を指令するための入力装置と、前記複数の記憶媒体に対するデータの記録を制御する制御回路とを具え、前記制御回路は、
データ記録の開始が指令された第１時点から１つの記憶媒体Ａに対してデータの記録を開始する手段と、
前記１つの記憶媒体Ａに対するデータの記録中に前記１つの記憶媒体Ａの残り容量が所定の容量値ｘ以下となったかどうかを判断する第１判断手段と、
前記１つの記憶媒体Ａの残り容量が所定の容量値ｘ以下になったと判断された第２時点から、前記１つの記憶媒体Ａに対するデータ記録と並行して、他の１つの記憶媒体Ｂに対するデータの記録を開始する第１制御手段と、
前記１つの記憶媒体Ａの容量が満杯若しくは所定の容量以下になった第３時点で、前記１つの記憶媒体Ａに対するデータの記録を終了する第２制御手段と、
前記他の１つの記憶媒体Ｂに対するデータの記録の停止が指令され若しくはデータ記録が自動的に停止された第４時点で、前記他の１つの記憶媒体Ｂの空き容量が前記第１時点から第２時点までに前記１つの記憶媒体Ａに記録されたデータの量よりも大きいかどうかを判断する第２判断手段と、
前記他の１つの記憶媒体Ｂの空き容量が前記１つの記憶媒体Ａに記録されたデータの量よりも大きいと判断されたとき、自動的に若しくはユーザ指令に応じて、前記第１時点から第２時点までに前記１つの記憶媒体Ａに記録されたデータを、前記他の１つの記憶媒体Ｂにコピーして、前記第１時点から第４時点までの一連のデータを１つのファイルとして管理する第３制御手段
とを具えていることを特徴とするデータ記録装置。
【請求項２】
前記第３制御手段は、前記他の１つの記憶媒体Ｂにデータをコピーした後、前記１つの記憶媒体Ａに記録されている前記第１時点から第３時点までのデータを消去する請求項１に記載のデータ記録装置。
【請求項３】
前記第３制御手段は、前記他の１つの記憶媒体Ｂの空き容量が前記１つの記憶媒体Ａに記録されたデータの量よりも大きいと判断されたとき、ユーザによってデータを１ファイル化しない旨の指令が発せられたときは、前記１つの記憶媒体Ａに記録されている前記第１時点から第３時点までのデータを１つのファイルとして管理すると共に、前記他の１つの記憶媒体Ｂに記録されている前記第２時点から第３時点までのデータを消去し、前記第３時点から第４時点までのデータを１つのファイルとして管理する請求項１又は請求項２に記載のデータ記録装置。
【請求項４】
前記第１制御手段は、前記第２時点から第３時点の期間内における前記他の１つの記憶媒体Ｂに対するデータの記録中に、データ記録の停止が指令されたときは、前記第２時点から前記他の１つの記憶媒体Ｂに記録されたデータを消去して、２つの記憶媒体Ａ、Ｂに対するデータ記録を停止する請求項１乃至請求項３の何れかに記載のデータ記録装置。
【発明の詳細な説明】
【技術分野】
【０００１】
本発明は、ＩＣレコーダやデジタルカメラ等のデジタル式のデータ記録装置に関するものである。
【背景技術】
【０００２】
従来、この種のデータ記録装置においては、内蔵メモリが装備されると共に、メモリカード等の脱着式の外部メモリの接続が可能となっており、データの記録中に内蔵メモリの容量が満杯になったときは、自動的にデータの記録が停止することになる。そこでユーザは、外部メモリが接続されている場合には、外部メモリにデータを記録するための操作を行なって、データの記録先を内蔵メモリから外部メモリに切り替えることが出来る。
【０００３】
しかしながら、ユーザの操作によってデータの記録先を内蔵メモリから外部メモリに切り替える場合、内蔵メモリに対するデータ記録が停止した後、外部メモリに対するデータ記録が開始されるまでの期間、記録されるデータに欠落が生じ、そのデータ量はユーザの操作時間に応じて増大する問題があった。
そこで、内蔵メモリと外部メモリの切り替えを自動的に行なうデジタルカメラが提案されている(特許文献１)。
【特許文献１】特開２００３−３４８３９２号公報［H04N5/225］
【特許文献２】特開２００１−５４９６号公報［G10L19/00］
【発明の開示】
【発明が解決しようとする課題】
【０００４】
しかしながら、内蔵メモリと外部メモリの切り替えを自動的に行なうデータ記録装置によっても、切り替えの時点で僅かながらもデータが欠落することは避けることが出来ず、然も、内蔵メモリに記録されたデータと外部メモリに記録されたデータとは別個のファイルとして管理されるため、データの取り扱いが不便である問題があった。
そこで本発明の目的は、複数の記憶媒体に跨って一連のデータを欠落させることなく記録することが可能であり、然もこれらのデータの取り扱いが容易なものとなるデータ記録装置を提供することである。
【課題を解決するための手段】
【０００５】
本発明に係るデータ記録装置は、映像データ及び／又は音声データをデジタル記録するための複数の記憶媒体を内蔵し若しくは接続することが可能であって、データ記録の開始及び停止を指令するための入力装置と、前記複数の記憶媒体に対するデータの記録を制御する制御回路とを具えている。
該制御回路は、
データ記録の開始が指令された第１時点から１つの記憶媒体Ａに対してデータの記録を開始する手段と、
前記１つの記憶媒体Ａに対するデータの記録中に前記１つの記憶媒体Ａの残り容量が所定の容量値ｘ以下となったかどうかを判断する第１判断手段と、
前記１つの記憶媒体Ａの残り容量が所定の容量値ｘ以下になったと判断された第２時点から、前記１つの記憶媒体Ａに対するデータ記録と並行して、他の１つの記憶媒体Ｂに対するデータの記録を開始する第１制御手段と、
前記１つの記憶媒体Ａの容量が満杯若しくは所定の容量以下になった第３時点で、前記１つの記憶媒体Ａに対するデータの記録を終了する第２制御手段と、
前記他の１つの記憶媒体Ｂに対するデータ記録の停止が指令され若しくはデータ記録が自動的に停止された第４時点で、前記他の１つの記憶媒体Ｂの空き容量が前記第１時点から第２時点までに前記１つの記憶媒体Ａに記録されたデータの量よりも大きいかどうかを判断する第２判断手段と、
前記他の１つの記憶媒体Ｂの空き容量が前記１つの記憶媒体Ａに記録されたデータの量よりも大きいと判断されたとき、自動的に若しくはユーザ指令に応じて、前記第１時点から第２時点までに前記１つの記憶媒体Ａに記録されたデータを、前記他の１つの記憶媒体Ｂにコピーして、前記第１時点から第４時点までの一連のデータを１つのファイルとして管理する第３制御手段
とを具えている。
【０００６】
上記本発明のデータ記録装置によれば、データ記録中の１つの記憶媒体Ａの容量が満杯となったとき、データの記録先が自動的に他の１つの記憶媒体Ｂに切り替えられる。この際、２つの記憶媒体Ａと記憶媒体Ｂには、前記第２時点から第３時点までのデータが重複して記録され、１つの記憶媒体Ａに記録されたデータを他の１つの記憶媒体Ｂにコピーするときに、何れか一方の記憶媒体に記録されている重複データが消去されて、前記第１時点から第４時点までの一連のデータが重複なく然も欠落なく、前記他の１つの記憶媒体Ｂに格納され、これらのデータが１つのファイルとして管理される。
【０００７】
具体的には、前記第３制御手段は、前記他の１つの記憶媒体Ｂにデータをコピーした後、前記１つの記憶媒体Ａに記録されている前記第１時点から第３時点までのデータを消去する。
これによって、前記１つの記憶媒体Ａの記憶容量が拡大される。
【０００８】
又、具体的には、前記第３制御手段は、前記他の１つの記憶媒体Ｂの空き容量が前記１つの記憶媒体Ａに記録されたデータの量よりも大きいと判断されたとき、ユーザによってデータを１ファイル化しない旨の指令が発せられたときは、前記１つの記憶媒体Ａに記録されている前記第１時点から第３時点までのデータを１つのファイルとして管理すると共に、前記他の１つの記憶媒体Ｂに記録されている前記第２時点から第３時点までのデータを消去し、前記第３時点から第４時点までのデータを１つのファイルとして管理する。
該具体的構成によれば、必要に応じて、従来と同様の２つの記憶媒体に跨るデータの記録が可能となる。
【０００９】
更に具体的な構成において、前記第１制御手段は、前記第２時点から第３時点の期間内における前記他の１つの記憶媒体Ｂに対するデータの記録中に、データ記録の停止が指令されたときは、前記第２時点から前記他の１つの記憶媒体Ｂに記録されたデータを消去して、２つの記憶媒体Ａ、Ｂに対するデータ記録を停止する。
該具体的構成によれば、記録せんとするデータが少量であって、前記１つの記憶媒体Ａに一連のデータを全て記録することが出来る場合において、前記他の１つの記憶媒体Ｂに対する無駄なデータ記録を回避することが出来る。
【発明の効果】
【００１０】
本発明に係るデータ記録装置によれば、複数の記憶媒体に跨って一連のデータを欠落させることなく記録することが可能であり、然もこれらのデータを１つのファイルとして容易に取り扱うことが出来る。
【発明を実施するための最良の形態】
【００１１】
以下、本発明の実施形態につき、図面に沿って具体的に説明する。
本発明に係るデータ記録装置(１)は、図１に示す如く、マイクロコンピュータからなる制御回路(２)を具え、該制御回路(２)に対して、例えば内蔵メモリであるフラッシュメモリＡ(３)と、例えば外部メモリであるフラッシュメモリＢ(４)とが接続されている。
データ記録装置(１)には、マイクロホン及びカメラ(５)が配備され、マイクロホン及びカメラ(５)から入力される音声信号及び映像信号は、変復調回路(６)へ供給されて、デジタルの音声データ及び映像データに変換される。
又、データ記録装置(１)には、映像を表示するための液晶ディスプレイ(８)や、ユーザがデータ記録を指令するためのキー入力装置(７)が配備されている。
【００１２】
上記データ記録装置(１)においては、キー入力装置(７)を操作することによって、マイクロホン又はカメラ(５)から入力される音声信号又は映像信号をデジタルデータとしてフラッシュメモリＡ(３)又はフラッシュメモリＢ(４)に記録することが出来る。
【００１３】
図２及び図３は、ユーザによるデータ記録指令に応じて実行されるデータ記録制御の手続きを表わしている。又、図４は、フラッシュメモリＡ及びフラッシュメモリＢのデータ記録状態を示している。尚、図４においては、記録すべき一連のデータを説明の便宜上、データａ、データｘ及びデータｂに区分している。
先ず図２のステップＳ１にて、メモリＡにデータａの記録を開始した後、ステップＳ２にて、メモリＡの残り容量が一定容量(ｘ)以下であるかどうかを判断する。ここで、一定容量(ｘ)は、データの単位であるフレームの数で規定し、例えばビットレートが高い場合は、一定容量(ｘ)のフレーム数を減少させ、ビットレートが低い場合は、一定容量(ｘ)のフレーム数を増大させる。
【００１４】
ステップＳ２にてノーと判断されたときはステップＳ１に戻ってデータａの記録を実行する。その後、ステップＳ２にてイエスと判断されたときは、ステップＳ３に移行して、メモリＡに対するデータｘの記録を続行すると共に、これと並行して、メモリＢに対するデータｘの記録を開始する。
【００１５】
次に、ステップＳ４にて、ユーザによってデータｘの記録停止指令が発せられたかどうかを判断し、イエスと判断されたときはステップＳ６にて、両メモリＡ、Ｂに対するデータ記録を停止した後、メモリＢに記録されているデータｘを消去する。
ステップＳ４にてノーと判断されたときは、ステップＳ５に移行して、メモリＡの容量が満杯になったかどうかを判断し、ノーの場合はステップＳ３に戻って両メモリＡ、Ｂに対するデータの記録を続行する。
【００１６】
その後、ステップＳ５にてイエスと判断されたときは、ステップＳ７に移行して、メモリＡに対するデータの記録を終了すると共に、メモリＢに対しては、続きのデータｂの記録を続行する。
続いてステップＳ８では、ユーザによってデータｘ＋ｂの記録停止指令が発せられたかどうかを判断し、ノーの場合はステップＳ７に戻って、メモリＢに対するデータの記録を続行する。
【００１７】
その後、ステップＳ８にてイエスと判断されたときは、ステップＳ９に移行して、そのときのメモリＢの空き容量が、メモリＡに記録されているデータａの容量よりも大きいかどうかを判断する。ここでイエスと判断されたときは、ステップＳ１０に移行して、液晶ディスプレイに、データａ、ｘ、ｂを１つのファイルとして結合すべきか否かのメニュー表示を行なって、ユーザの選択を促す。
【００１８】
そして、図３のステップＳ１１では、データを１つのファイルとして結合すべきかどうかの判断を行なって、イエスと判断されたときは、ステップＳ１２に移行して、メモリＡに記録されているデータａをメモリＢにコピーし、更にステップＳ１３では、メモリＢ側のファイルシステムを書き換えて、データａ、ｘ、ｂを一連のデータとして規定する。
その後、ステップＳ１４では、メモリＢに、データａ＋ｘ＋ｂを含む１つのファイルを作成し、メモリＡに記録されているデータａ＋ｘを消去して、手続き終了する。
【００１９】
一方、図２のステップＳ９にてノーと判断され、或いは図３のステップＳ１１にてノーと判断されたときは、ステップＳ１５に移行して、メモリＢに記録されているデータｘを消去し、メモリＡにはデータａ＋ｘを含む１つのファイルを作成すると共に、メモリＢにはデータｂを含む１つのファイルを作成して、手続きを終了する。
【００２０】
上記手続きによれば、図４(ａ)(ｂ)(ｃ)に示す如く、データ記録の開始が指令された第１時点からメモリＡに対してデータａの記録が開始され、該データの記録中に、メモリＡの残り容量が一定の容量値ｘ以下となった第２時点からは、メモリＡに対するデータ記録とメモリＢに対するデータ記録が並行して進められる。そして、メモリＡの容量が満杯になった第３時点で、メモリＡに対するデータｘの記録は停止され、メモリＢに対するデータｂの記録が続行される。
その後、メモリＢに対するデータの記録動作の停止が指令された第４時点で、メモリＢの空き容量が第１時点から第２時点までにメモリＡに記録されたデータａの量よりも大きいかどうかが判断されて、大きい場合に限り、第１時点から第２時点までにメモリＡに記録されたデータａがメモリＢにコピーされる。そして、第１時点から第４時点までの一連のデータａ＋ｘ＋ｂが１つのファイルとして管理される。
【００２１】
従って、本発明に係るデータ記録装置によれば、一連のデータａ、ｘ、ｂをフラッシュメモリＡ及びフラッシュメモリＢに跨って重複なく且つ欠落なく記録することが可能であり、然もこれらのデータは１つのファイルとして管理されるので、データの扱いが容易となる。
又、２つのメモリＡ、Ｂに跨る従来方式のデータ記録が必要であれば、ユーザは操作によってその様な記録方式を選択することも可能である。
更に又、記録せんとするデータが少量であって、メモリＡに一連のデータを全て記録することが出来た場合には、メモリＢに記録されたデータｘは自動的に消去されるので、無駄なメモリ容量の消費を回避することが出来る。
【００２２】
尚、本発明の各部構成は上記実施の形態に限らず、特許請求の範囲に記載の技術的範囲内で種々の変形が可能である。例えば、上記実施例では、図４に示す如くメモリＡに記録されているデータａのみをメモリＢにコピーしているが、メモリＢのデータｘを消去した上で、メモリＡのデータａ＋ｘをメモリＢにコピーする方法を採用することも可能である。
又、データ結合に際して何らかの付加情報を記録することも可能であって、この場合は、その付加情報の記録に必要な容量を考慮する必要がある。
【図面の簡単な説明】
【００２３】
【図１】本発明に係るデータ記録装置の構成を表わすブロック図である。
【図２】データ記録装置のデータ記録制御手続の前半を表わすフローチャートである。
【図３】同上手続の後半を表わすフローチャートである。
【図４】２つのメモリに対するデータ記録状態を説明する図である。
【符号の説明】
【００２４】
(１)  データ記録装置
(２)  制御回路
(３)  フラッシュメモリＡ
(４)  フラッシュメモリＢ
(５)  マイクロホン／カメラ
(６)  変復調回路
(７)  キー入力装置
(８)  液晶ディスプレイ
【図１】
2005295433.tif 000003
【図２】
2005295433.tif 000004
【図３】
2005295433.tif 000005
【図４】
2005295433.tif 000006